(57)【要約】【課題】上下方向に隣接していない回転扉を含む任意の複数の扉を一括して開閉できる分割扉連結構造を提供する。【解決手段】一面が開口した収納ラックの本体部の開口を、上下方向に分割された複数の分割扉により開閉する分割扉連結構造であって、前記本体部に設けられ、前記分割扉を開閉可能に支持する回転軸部と、前記回転軸部の回転運動と前記分割扉の開閉運動とを連動させるための複数の連動部と、を有する分割扉連結構造。【選択図】図４
2019005325.tif 000002
【特許請求の範囲】
【請求項１】
一面が開口した収納ラックの本体部の開口を、上下方向に分割された複数の分割扉により開閉する分割扉連結構造であって、
前記本体部に設けられ、前記分割扉を開閉可能に支持する回転軸部と、
前記回転軸部の回転運動と前記分割扉の開閉運動とを連動させるための複数の連動部と
を有する分割扉連結構造。
【請求項２】
前記連動部は、前記回転軸部に設けられたスライド部材と、前記回転軸部に設けられた凸部と、を備え、
前記スライド部材は、前記分割扉の２面にそれぞれ当接する２面を有する筐体部と、前記筐体部に前記回転軸部を通す貫通孔と、前記凸部を収容する溝部とを有する請求項１に記載の分割扉連結構造。
【請求項３】
前記スライド部材は前記回転軸部に摺動自在に設けられ、
前記凸部が前記溝部に収容された状態を保持する位置に設けられ、
前記分割扉の少なくとも１面もしくは、前記筐体部の少なくとも１面に設けられた係止部と、前記１面と当接する１面に設けられた被係止部と、を有する請求項２に記載の分割扉連結構造。
【請求項４】
前記回転軸部は、前記分割扉毎に設けられた分割回転軸部と、前記分割回転軸部を連結する連結部とを有する請求項１から３までのいずれか１項に記載の分割扉連結構造。
【請求項５】
請求項１から４までのいずれか１項に記載の分割扉連結構造を有する収納ラック。
【発明の詳細な説明】
【技術分野】
【０００１】
本発明は、分割扉連結構造およびそれを用いた収納ラックに関する。
【背景技術】
【０００２】
上下に分割した分割扉連結構造を用いると、例えば、複数種類の商品や機器等を区分けして収納することができる収納ラックを用いる場合に便利である。
【０００３】
このような収納ラックに関しては、例えば、特許文献１に開示されている。
【０００４】
特許文献１に記載の商品収納ラックは、前面が開口した本体キャビネットの開口を閉塞する扉体を上下方向に２つの扉体に分割するとともに上下に分割されたそれぞれの分割扉体を上下方向にスライド自在に軸支し、上下に隣接する分割扉体のうち下部側の分割扉体の上端には上部側の分割扉体の開放を阻止するストッパ部と、上部側の分割扉体の下端には常時は下部側の分割扉体と係合するとともに上方にスライドした際に下部側の分割扉体との係合が解除される係合部とを備えている。
【０００５】
これにより、上下に隣接する分割扉体のうち上部側の分割扉体は、下部側の分割扉体のストッパ部の高さ位置を越えるまで上方にスライド移動させた状態で下部側の分割扉体に対して独立して開閉自在であり係合部が下部側の分割扉体と係合する下降した状態で下部側の分割扉体の開閉に連動して開閉させることができる。
【先行技術文献】
【特許文献】
【０００６】
【特許文献１】特許第４８８７７９３号公報
【発明の概要】
【発明が解決しようとする課題】
【０００７】
上記特許文献１に記載の分割扉連結構造は、上下方向に２枚の分割扉を有する２段の収納ラックには用いることができるが、３段以上の収納ラックにおいて、上下方向に隣接していない回転扉を連動させて開閉させる分割扉構造を開示するものではない。
【０００８】
例えば、ユニット積み上げ構造の装置では、各扉の開閉がバラバラであると、組立作業性やメンテナンス時の安全面で問題となることがあった。
【０００９】
本発明は、上下方向に隣接していない回転扉を含む任意の複数の扉を一括して開閉できる分割扉連結構造を提供することを目的とする。
【課題を解決するための手段】
【００１０】
本発明の一観点によれば、一面が開口した収納ラックの本体部の開口を、上下方向に分割された複数の分割扉により開閉する分割扉連結構造であって、前記本体部に設けられ、前記分割扉を開閉可能に支持する回転軸部と、前記回転軸部の回転運動と前記分割扉の開閉運動とを連動させるための複数の連動部と、を有する分割扉連結構造が提供される。
【００１１】
前記連動部は、前記分割扉のそれぞれに独立して設けられているため、３以上の複数の扉のうちから任意の２以上の扉を選択して連動して開閉することができる。
【００１２】
前記連動部は、前記回転軸部に設けられたスライド部材と、前記回転軸部に設けられた凸部と、を備え、前記スライド部材は、前記分割扉の２面にそれぞれ当接する２面を有する筐体部と、前記筐体部に前記回転軸部を通す貫通孔と、前記凸部を収容する溝部とを有するようにしても良い。
【００１３】
さらに、前記スライド部材は前記回転軸部に摺動自在に設けられ、前記凸部が前記溝部に収容された状態を保持する位置に設けられ、前記分割扉の少なくとも１面もしくは、前記筐体部の少なくとも１面に設けられた係止部と、前記１面と当接する１面に設けられた被係止部と、を有するようにすることが好ましい。
【００１４】
前記回転軸部は、前記分割扉毎に設けられた分割回転軸部と、前記分割回転軸部を連結する連結部とを有するようにしても良い。
【００１５】
本発明は、上記のいずれか１に記載の分割扉連結構造を有する収納ラックであっても良い。
【発明の効果】
【００１６】
本発明によれば、上下方向に隣接していない回転扉を含む任意の複数の扉を一括して開閉できる分割扉連結構造を提供することができる。
【図面の簡単な説明】
【００１７】
【図１Ａ】本発明の第１の実施の形態による分割扉連結構造を有する収納ラックの外観構成例を示す斜視図である。
【図１Ｂ】図１Ａの要部を示す斜視図である。
【図２】連動設定部の設定がされた際の、分割扉の連動動作例を示す図である。
【図３】本実施の形態による分割扉連結構造における連動動作の機構例を示す図である。
【図４】図４（ａ）は、連動設定を解除した場合の、スライド部材と回転軸部の関係を示す図であり、図４（ｂ）は、スライド部材の詳細な構成例を示す斜視図であり、図４（ｃ）は、スライド部材を上面から見た上面図である。
【図５】図５（ａ）は、連動設定を行った場合のスライド部材と回転軸部との関係を示す図であり、図５（ｂ）は、分割扉とスライド部材とを上面から見た上面図である。
【図６】本発明の第２の実施の形態による積み上げ方式の収納ラックにおける分割された扉を有する場合の連結構成例を示す図である。
【発明を実施するための形態】
【００１８】
以下に、本発明の実施の形態による分割扉連結構造およびそれを用いた収納ラックについて、図面を参照しながら詳細に説明する。
【００１９】
（第１の実施の形態）
図１Ａは、本発明の第１の実施の形態による分割扉連結構造を有する収納ラックの外観構成例を示す斜視図である。図１Ｂは、図１Ａの要部を示す斜視図である。
【００２０】
図１Ａに示すように、本実施の形態による分割扉連結構造を有する収納ラックＡは、一番下段に設けられる台座１と、台座１上に設けられている、上から順番に例えば第１から第４までの収容部（筐体部，本体部）３，２３，４３，６３を有する。第１から第４までの収容部３，２３，４３，６３の前面には、収容部毎に分割された上から順番に、第１から第４までの分割扉３ａ，２３ａ，４３ａ，６３ａが設けられている。例えば、分割扉３ａは側面３ｂの前方開口を塞ぐことができるように構成されている。
【００２１】
第１から第４までの分割扉３ａ，２３ａ，４３ａ，６３ａには、分割扉の開閉動作を連動可能にするための設定を行うことができる連動設定部５，２５，４５，６５が設けられている。例えば、連動設定部５は、後述するスライド部材１１を有する。
【００２２】
図１Ｂに示すように、連動設定部５，２５，４５，６５の設定は、例えば、分割扉３ａに設けられた開口部７から覗くスライドレバー１１ａの上下操作により行うことができる。スライドレバー１１ａを上側にスライドさせると、その扉を分割扉のうち連動する扉として設定することができる。その他の分割扉も同様に構成されている。
【００２３】
図２は、連動設定部５，６５の連動設定がされた際の、分割扉の連動動作例を示す図である。連動設定部５と６５とのスライドレバーを上側に設定することで、例えば２段分離れた分割された分割扉３ａ、６３ａが連動して開閉動作をする。同様に、任意の枚数の複数の分割扉を選択して連動動作させることが可能である。
【００２４】
以下に、連動動作の機構例について詳細に説明する。
【００２５】
図３は、本実施の形態による分割扉連結構造における連動動作の機構例を示す図である。図３に示す分割扉は、蝶番７７と回転軸部（回転棒）７１とを有する一般的な扉と同様の回転扉の構成を有している。さらに、本実施の形態による分割扉に設けられたスライド部材１１は、回転軸部７１に沿ってスライドするように、スライド部材１１の貫通孔１１ｄに回転軸部７１が貫通している。一方、分割扉は、回転軸部７１を回転軸として回転可能に構成されている。
【００２６】
図４（ａ）は、連動設定を解除した場合の、スライド部材１１と回転軸部７１との関係を示す図であり、図４（ｂ）は、スライド部材１１の詳細な構成例を示す斜視図であり、図４（ｃ）は、スライド部材１１を上面から見た上面図である。
【００２７】
図５（ａ）は、連動設定を行った場合のスライド部材１１と回転軸部７１との関係を示す図であり、図５（ｂ）は、分割扉３ａとスライド部材１１とを上面から見た上面図である。
【００２８】
回転軸部７１には、例えば、凸部（突出部）７３が形成されている。一方、スライド部材１１には、回転軸部７１を通す貫通孔１１ｄが設けられている。また、スライド部材１１には、図４（ａ）の状態から上方にスライドさせて分割扉の連動設定を行った際に、凸部７３を受け入れる溝部（凸部受け入れ穴部）１１ｃが形成されている。
【００２９】
以上のようにして連動設定を行うと、図５（ｂ）に示すように、スライド部材１１の収容部（筐体部）３の内面側の２側面１１ｘ−１，１１ｙ−２が、その２側面１１ｘ−１，１１ｙ−２と対向する分割扉３ａの２内面３ａ−１、３ａ−２とそれぞれ当接する。当接することで、分割扉３ａとスライド部材１１とが一体となり、分割扉３ａの開閉と一緒にスライド部材１１が動く。溝部１１ｃに凸部７３が入ることで、分割扉３ａと回転軸部７１とが連動する。従って、連動設定を行うと、スライド部材１１と回転軸部７１と、分割扉とが、回転方向の移動に関して連動する。すなわち、複数のスライド部材を連動設定にすることで、連動設定された分割扉のうちの少なくとも１つの分割扉を開閉させると、回転軸部７１の回転に伴って、連動設定された他の分割扉も同様に開閉する。
【００３０】
このように、本実施の形態では、スライド部材１１と回転軸部７１に設けられた凸部７３とにより、回転軸部７１の回転運動と分割扉３ａ等との開閉運動とを連動させるための連動部が形成される。
【００３１】
例えば、係止部７５を分割扉３ａ側に、被係止部１１ｅをスライド部材１１側に設けることで、係止部７５と被係止部１１ｅとが係合され、連動設定された状態を保持できる。係止部７５および被係止部１１ｅを設ける位置を互いに入れ替えても良い。
【００３２】
図５（ａ）に示す連動設定された位置から、図４（ａ）に示すように、スライドレバー１１ａによりスライド部材１１をスライドさせて連動設定を解除すると、スライド部材１１と回転軸部７１と、分割扉３ａとの、連動設定が解除される。従って、連動部による連動動作は行われなくなる。
【００３３】
以上の連動設定を、複数の扉において行うことで、分割扉の開閉を連動させることができる。
【００３４】
本実施の形態によれば、上下方向に隣接していない回転扉を含む任意の複数の扉を一括して開閉できる分割扉連結構造を提供することができる。
【００３５】
（第２の実施の形態）
次に、本発明の第２の実施の形態について図面を参照しながら説明する。
本実施の形態による分割扉連結構造およびそれを用いた収納ラックと、第１の実施の形態との相違点は、第２の実施の形態では、各分割扉連結構造毎に分割されている収納ラックを積み上げる積み上げ方式である点である。
【００３６】
図６に示すように、分割された分割扉４３ａ，６３ａに対応する回転軸部７１が分割されている。すなわち、分割された収容部６３，４３毎に回転軸部７１が、第１の回転軸部７１ａ，第２の回転軸部７１ｂというように分割されている。
【００３７】
そこで、第１の回転軸部７１ａ，第２の回転軸部７１ｂを連結する必要がある。本実施の形態では、第１の回転軸部７１ａ，第２の回転軸部７１ｂの連結すべき先端部に係合部７１ｃ，７１ｄが設けられる。そして、第１の回転軸部７１ａ、第２の回転軸部７１ｂを、それぞれが有する係合部７１ｃ，７１ｄと係合する被係合部１０１ａ，１０１ｂを備えた連結棒１０１により連結する。これにより、第１の回転軸部７１ａ，第２の回転軸部７１ｂを、あたかも１本の回転軸部のように連結することができる。
その他の構成は、第１の実施の形態と同様で良い。
【００３８】
このように、分割された収納ラックを積み上げる積み上げ方式の収納ラックにおいて、第１の実施の形態と同様に、上下方向に隣接していない回転扉を含む任意の複数の扉を一括して開閉できる分割扉連結構造を提供することができる。また、組立配線やメンテナンスにおける作業性や安全性を向上させることができる。
【００３９】
上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００４０】
また、本発明の各構成要素は、任意に取捨選択することができ、取捨選択した構成を具備する発明も本発明に含まれるものである。
【産業上の利用可能性】
【００４１】
本発明は、分割扉連結構造およびそれを用いた収納ラックに利用可能である。
【符号の説明】
【００４２】
Ａ…収納ラック
１…台座
３，２３，４３，６３…収容部
３ａ，２３ａ，４３ａ，６３ａ…分割扉
５，２５，４５，６５…連動設定部
７…開口部
１１…スライド部材
１１ａ…スライドレバー
１１ｃ…溝部
１１ｄ…貫通孔
１１ｅ…被係止部
７１…回転軸部
７３…凸部
７５…係止部
７７…蝶番
１０１…連結棒
【図１Ａ】
2019005325.tif 000003
【図１Ｂ】
2019005325.tif 000004
【図２】
2019005325.tif 000005
【図３】
2019005325.tif 000006
【図４】
2019005325.tif 000007
【図５】
2019005325.tif 000008
【図６】
2019005325.tif 000009